(57)【要約】【課題】カートリッジの部品点数の増加を抑制することができる画像形成システムを提供すること。【解決手段】  本体ケーシング２と、交換仕様の現像カートリッジ７Ａと、スタータ仕様の現像カートリッジ７Ｂとを含み、交換仕様の現像カートリッジ７Ａとスタータ仕様の現像カートリッジ７Ｂとから選択されたいずれかの現像カートリッジ７を本体ケーシング２に装着した状態で画像形成可能な画像形成システムにおいて、交換仕様の現像カートリッジ７Ａのカートリッジフレーム３１を、新品検知ギア５２が装着されるように構成し、スタータ仕様の現像カートリッジ７Ｂのカートリッジフレーム３１を、新品検知ギア５２の装着または動作を規制するように構成する。【選択図】図５
2014063080.tif 000002
【特許請求の範囲】
【請求項１】
第１のカートリッジと、前記第１のカートリッジと異なる第２のカートリッジと、前記第１のカートリッジまたは前記第２のカートリッジを選択的に着脱可能な画像形成装置本体とを含む画像形成システムであって、
前記第１のカートリッジは、前記画像形成装置本体の検知手段に検知されるための被検知部材が装着される第１のフレームを備え、
前記第２のカートリッジは、少なくとも前記被検知部材の装着または動作を規制する第２のフレームを備える
ことを特徴とする、画像形成システム。
【請求項２】
前記第２のフレームは、前記被検知部材と異なる被検知部材の装備をも規制する
ことを特徴とする、請求項１に記載の画像形成システム。
【請求項３】
前記第２のフレームは、前記被検知部材と異なる被検知部材の装備を許容する
ことを特徴とする、請求項１に記載の画像形成システム。
【請求項４】
前記第１のフレームは、前記画像形成装置本体からの駆動力を前記被検知部材に伝達するための駆動伝達部材を支持する支持部を有し、
前記第２のフレームは、前記支持部を有さない
ことを特徴とする、請求項１ないし３のいずれか一項に記載の画像形成システム。
【請求項５】
前記第１のフレームは、現像剤を収容するように構成された第１現像剤収容部、前記第１現像剤収容部を挟んで所定方向に間隔を隔てて対向配置される第１側壁および第２側壁を備え、
前記第１のカートリッジは、前記第１側壁に対して前記第１現像剤収容部の反対側に配置され、前記画像形成装置本体からの駆動力を受けるための受動部材を備え、
前記被検知部材は、前記第２側壁に対して前記第１現像剤収容部の反対側に配置され、前記受動部材に入力された駆動力が伝達されることにより動作するように構成されている
ことを特徴とする、請求項４に記載の画像形成システム。
【請求項６】
前記第１のカートリッジは、前記第１側壁と前記第２側壁との間に配置され、前記受動部材に入力された駆動力が伝達されることにより、前記所定方向に延びる回転軸線を回転中心として回転するように構成される回転部材を備え、
前記駆動伝達部材は、前記第２側壁に対して前記第１現像剤収容部の反対側において前記回転部材の端部に支持され、前記回転軸線を回転中心として前記回転部材とともに回転するように構成されている
ことを特徴とする、請求項５に記載の画像形成システム。
【請求項７】
前記回転部材は、前記第１のカートリッジ内の現像剤を攪拌するように構成された第１攪拌部材であることを特徴とする、請求項６に記載の画像形成システム。
【請求項８】
前記第２のカートリッジは、第２のカートリッジ内の現像剤を攪拌するように構成され、前記第１攪拌部材よりも短い第２攪拌部材を備える
ことを特徴とする、請求項７に記載の画像形成システム。
【請求項９】
前記第１のフレームは、被検知部材を支持する支持部を有し、
前記第２のフレームは、被検知部材を支持する支持部を有さない
ことを特徴とする、請求項１ないし３のいずれか一項に記載の画像形成システム。
【請求項１０】
前記第１のフレームは、現像剤を収容するように構成される第１現像剤収容部を有し、
前記第２のフレームは、前記第１現像剤収容部よりも容積が小さい第２現像剤収容部を有するように、前記第１のフレームよりも小型に形成されている
ことを特徴とする、請求項９に記載の画像形成システム。
【請求項１１】
前記第１のフレームは、被検知部材を支持する第１支持部を有し、
前記第２のフレームは、
被検知部材を支持する第２支持部と、
前記第２支持部に対する前記被検知部材の装着を規制する規制部と
を有する
ことを特徴とする、請求項１ないし３のいずれか一項に記載の画像形成システム。
【請求項１２】
前記被検知部材は、駆動力を受けるように構成されるギア歯を備える
ことを特徴とする、請求項１ないし１１のいずれか一項に記載の画像形成システム。
【発明の詳細な説明】
【技術分野】
【０００１】
本発明は、電子写真方式が採用される画像形成装置を構成する画像形成システムに関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための検出手段を備えている。
【０００４】
例えば、現像カートリッジに回転可能に設けられる検出ギアに、本体ケーシング内のアクチュエータに当接される当接突起を設け、現像カートリッジが本体ケーシングに装着されたときに、検出ギアを回転駆動させて、当接突起によってアクチュータを揺動させるとともに、光センサによってアクチュエータの揺動を検出し、その検出結果に基づいて、現像カートリッジの情報を判断するレーザプリンタが提案されている（たとえば、下記特許文献１参照。）。
【先行技術文献】
【特許文献】
【０００５】
【特許文献１】特開２００６−２６７９９４号公報
【発明の概要】
【発明が解決しようとする課題】
【０００６】
しかるに、上記した特許文献１に記載されるようなレーザプリンタでは、一般的に、複数の異なる仕様の現像カートリッジが選択的に使用される場合がある。
【０００７】
具体的には、レーザプリンタを購入した当初は、購入時に本体とともに梱包されているスタータ仕様品が使用され、スタータ仕様品のトナーが消費された後には、スタータ仕様品と交換される交換仕様品が使用される場合がある。
【０００８】
しかし、すべての仕様の現像カートリッジを同一の構成にすると、スタータ仕様の現像カートリッジにおいて、検出手段に関する不必要な構成が設けられる場合や、部品点数が増加する場合がある。
【０００９】
そこで、本発明の目的は、カートリッジの不必要な構成の増加を抑制することができる画像形成システムを提供することにある。
【課題を解決するための手段】
【００１０】
（１）上記した目的を達成するために、本発明の画像形成システムは、第１のカートリッジと、前記第１のカートリッジと異なる第２のカートリッジと、前記第１のカートリッジまたは前記第２のカートリッジを選択的に着脱可能な画像形成装置本体とを含む画像形成システムである。
【００１１】
第１のカートリッジは、画像形成装置本体の検知手段に検知されるための被検知部材が装着される第１のフレームを備える。
【００１２】
第２のカートリッジは、少なくとも第１のフレームに装着可能な被検知部材の装着または動作を規制する、第２のフレームを備える。
【００１３】
このような構成によれば、第２のフレームにおいて、第１のフレームに装着可能な被検知部材を装着するための構成や、第１のフレームに装着可能な被検知部材を動作させるための構成を、省くことができる。
【００１４】
そのため、第２のフレームの構成を簡略化することができ、カートリッジの不必要な構成の増加を抑制することができる。
（２）また、第２のフレームは、第１のフレームに装着可能な被検知部材と異なる被検知部材の装備をも規制してもよい。
【００１５】
このような構成によれば、第２のフレームにおいて、第１のフレームに装着可能な被検知部材と異なる被検知部材を装着するための部材をも省くことができる。
【００１６】
そのため、第２のフレームの構成をより簡略化することができ、カートリッジの不必要な構成の増加をより抑制することができる。
（３）また、第２のフレームは、第１のフレームに装着可能な被検知部材と異なる被検知部材の装備を許容してもよい。
【００１７】
このような構成によれば、例えば、交換仕様品として印刷可能枚数ごとに異なる仕様のカートリッジを用意した場合など、第１のカートリッジと第２のカートリッジとで異なる被検知部材が使用される場合に、第２のフレームにおいて、第１のフレームに装着可能な被検知部材と同一の被検知部材が装着されることを防ぎながら、第１のフレームに装着可能な被検知部材と異なる被検知部材を装着することができる。
【００１８】
そのため、部品点数を増加させることなく、第１のフレームに装着可能な被検知部材と同一の被検知部材が第２のフレームに装着されることを防止することができる。
（４）また、第１のフレームは、画像形成装置本体からの駆動力を被検知部材に伝達するための駆動伝達部材を支持する支持部を有してもよい。一方、第２のフレームは、支持部を有さなくてもよい。
【００１９】
このような構成によれば、第２のフレームにおいて、駆動伝達部材を支持する支持部（すなわち、被検知部材を動作させるための構成）を省くことができる。
【００２０】
その結果、第２のフレームの構成を確実に簡略化することができる。
（５）また、第１のフレームは、現像剤を収容するように構成された第１現像剤収容部、前記第１現像剤収容部を挟んで所定方向に間隔を隔てて対向配置される第１側壁および第２側壁を備えてもよい。また、第１のカートリッジは、第１側壁に対して第１現像剤収容部の反対側に配置され、画像形成装置本体からの駆動力を受けるための受動部材を備えてもよい。
【００２１】
この場合、被検知部材は、第２側壁に対して第１現像剤収容部の反対側に配置され、受動部材に入力された駆動力が伝達されることにより動作するように構成されてもよい。
【００２２】
このような構成によれば、第１のフレームにおいて、受動部材と被検知部材とを、互いに別の側壁（第１側壁と第２側壁）に配置することができる。
【００２３】
そのため、第１側壁および第２側壁の面積を小さくすることができる。
【００２４】
その結果、カートリッジの小型化を図ることができる。
（６）また、第１のカートリッジは、第１側壁と第２側壁との間に配置され、受動部材に入力された駆動力が伝達されることにより、所定方向に延びる回転軸線を回転中心として回転するように構成される回転部材を備えてもよい。
【００２５】
この場合、駆動伝達部材は、第２側壁に対して第１現像剤収容部の反対側において回転部材の端部に支持され、回転軸線を回転中心として回転部材とともに回転するように構成されてもよい。
【００２６】
このような構成によれば、カップリング部材に入力された駆動力を、第１側壁と第２側壁との間に配置される回転部材を介して、被検知部材に伝達することができる。
【００２７】
その結果、簡易な構成で、カップリング部材に入力された駆動力を、被検知部材に伝達することができる。
（７）また、回転部材は、第１のカートリッジ内の現像剤を攪拌するように構成された第１攪拌部材であってもよい。
【００２８】
第１攪拌部材を利用してカップリング部材から被検知体へ駆動力を伝達することができ、部品点数を低減することができる。
（８）また、第２のカートリッジは、第２のカートリッジ内の現像剤を攪拌するように構成され、第１攪拌部材よりも短い第２攪拌部材を備えてもよい。
【００２９】
このような構成によれば、第２のカートリッジにおいて、簡易な構成で、第２攪拌部材の端部を、第２側壁から露出しないように構成することができる。
【００３０】
そのため、第２のカートリッジにおいて、簡易な構成で、駆動伝達部材を支持するための構成（すなわち、被検知部材を動作させるための構成）を省くことができる。
（９）また、第１のフレームは、被検知部材を支持する支持部を有してもよい。一方、第２のフレームは、被検知部材を支持する支持部を有さなくてもよい。
【００３１】
このような構成によれば、第２のフレームにおいて、被検知部材を支持する支持部を省くことができる。
【００３２】
その結果、第２のフレームの構成を確実に簡略化することができる。
（１０）また、第１のフレームは、現像剤を収容するように構成される第１現像剤収容部を有してもよい。一方、第２のフレームは、第１現像剤収容部よりも容積が小さい第２現像剤収容部を有するように、第１のフレームよりも小型に形成されていてもよい。
【００３３】
このような構成によれば、第２のフレームは、被検知部材を支持する支持部が省かれるとともに、第２現像剤収容部の容積が小さく設定されている。
【００３４】
そのため、第２のフレームの構成を確実に簡略化するとともに、その小型化を図ることができる。
（１１）また、第１のフレームは、被検知部材を支持する第１支持部を有してもよい。一方、第２のフレームは、被検知部材を支持する第２支持部と、第２支持部に対する被検知部材の装着を規制する規制部とを有してもよい。
【００３５】
このような構成によれば、規制部により、第２のフレームにおいて、第１のフレームに装着可能な被検知部材と同一の被検知部材が装着されることを確実に防ぐことができる。
（１２）また、被検知部材は、駆動力を受けるように構成されるギア歯を備えてもよい。
【００３６】
このような構成によれば、簡易な構成で、被検知部材に駆動力を伝達することができる。
【発明の効果】
【００３７】
本発明の画像形成システムによれば、カートリッジの不必要な構成の増加を抑制することができる。
【図面の簡単な説明】
【００３８】
【図１】図１は、本発明の画像形成システムにより構成されるプリンタの中央断面図である。
【図２】図２は、本発明の画像形成システムの第１実施形態に含まれる現像カートリッジのうち、交換仕様の現像カートリッジを示し、右前側から見た斜視図である。
【図３】図３は、図２に示す交換仕様の現像カートリッジの右前側から見た分解斜視図である。
【図４】図４は、図２に示す交換仕様の現像カートリッジの平断面図である。
【図５】図５は、本発明の画像形成システムの第１実施形態に含まれる現像カートリッジのうち、スタータ仕様の現像カートリッジを示し、右前側から見た分解斜視図である。
【図６】図６は、図５に示すスタータ仕様の現像カートリッジの平断面図である。
【図７】図７は、本発明の画像形成システムの第２実施形態に含まれる現像カートリッジのうち、交換仕様の現像カートリッジを示し、左前側から見た斜視図である。
【図８】図８は、本発明の画像形成システムの第２実施形態に含まれる現像カートリッジのうち、交換仕様の現像カートリッジを示し、左下側から見た分解斜視図である。
【図９】図９は、本発明の画像形成システムの第２実施形態に含まれる現像カートリッジのうち、スタータ仕様の現像カートリッジを示し、左下側から見た分解斜視図である。
【図１０】図１０は、図９に示すスタータ仕様の現像カートリッジの変形例を示し、左下側から見た分解斜視図である。
【図１１】図１１は、本発明の画像形成システムの第３実施形態に含まれる現像カートリッジのうち、交換仕様の現像カートリッジを示し、左上側から見た斜視図である。
【図１２】図１２は、本発明の画像形成システムの第３実施形態に含まれる現像カートリッジのうち、スタータ仕様の現像カートリッジを示し、左上側から見た斜視図である。
【図１３】図１３は、図１２に示すスタータ仕様の現像カートリッジの変形例を示し、左上側から見た斜視図である。
【図１４】図１４は、本発明の画像形成システムの第４実施形態に含まれる現像カートリッジに装着される新品検知ギアを示し、右前側から見た斜視図である。
【発明を実施するための形態】
【００３９】
１．プリンタの全体構成
図１に示すように、プリンタ１は、横置きタイプのダイレクトタンデム型カラープリンタである。
【００４０】
なお、以下の説明において、プリンタ１の方向に言及するときには、プリンタ１を水平に載置した状態を上下の基準とする。すなわち、図１の紙面上側が上側（上下方向（第１方向）一方側）であり、紙面下側が下側（上下方向他方側）である。また、図１の紙面左側が前側（前後方向（第２方向）一方側）であり、図１の紙面右側が後側（前後方向他方側）である。また、プリンタ１を前側から見たときを左右の基準とする。すなわち、図１の紙面手前側が右側（左右方向（第３方向）一方側）であり、紙面奥側が左側（左右方向他方側）である。
【００４１】
プリンタ１は、略ボックス形状の画像形成装置本体の一例としての本体ケーシング２を備えている。本体ケーシング２の上端部には、本体開口部３を開閉するトップカバー４が、その後端部を支点として揺動可能に設けられている。プリンタ１は、複数（４つ）のプロセスカートリッジ５を備えている。
【００４２】
すべてのプロセスカートリッジ５は、本体ケーシング２内に着脱可能に設けられ、互いに前後方向に間隔を隔てて並列配置されている。また、複数（４つ）のプロセスカートリッジ５は、それぞれ、複数（４つ）の色（ブラック、イエロー、マゼンタ、シアン）のうちの１つに対応している。
【００４３】
プロセスカートリッジ５は、ドラムカートリッジ６と、ドラムカートリッジ６に着脱可能に装着されるカートリッジの一例としての現像カートリッジ７とを備えている。
【００４４】
ドラムカートリッジ６は、感光ドラム８とスコロトロン型帯電器９とを備えている。
【００４５】
感光ドラム８は、左右方向（所定方向）に長手の略円筒形状に形成されており、ドラムカートリッジ６に回転可能に設けられている。
【００４６】
スコロトロン型帯電器９は、感光ドラム８の後上側に対向配置されている。
【００４７】
現像カートリッジ７は、現像ローラ１１と、現像ローラ１１にトナーを供給する供給ローラ１２とを備えている。
【００４８】
現像ローラ１１は、感光ドラム８に対して前上側から接触されるように、現像カートリッジ７の後端部において後側から露出されるように設けられている。現像ローラ１１は、左右方向に延びる略円柱形状に形成されている。現像ローラ１１は、その中心軸線に沿って左右方向に延びる金属製の回転軸（以下、現像ローラ軸３０と記載する。）を備えている。現像ローラ軸３０の左右方向両端部のそれぞれは、カートリッジフレーム３１（後述）の両側壁３４（後述）のそれぞれに回転可能に支持されている。
【００４９】
供給ローラ１２は、現像ローラ１１に接触するように、現像ローラ１１の前上側に設けられている。供給ローラ１２は、左右方向に延びる略円柱形状に形成されている。供給ローラ１２は、その中心軸線に沿って左右方向に延びる金属製の回転軸（以下、供給ローラ軸２９と記載する。）を備えている。供給ローラ軸２９の左右方向両端部のそれぞれは、カートリッジフレーム３１（後述）の両側壁３４（後述）のそれぞれに回転可能に支持されている。
【００５０】
また、現像カートリッジ７は、現像ローラ１１に供給されたトナーの厚みを規制する層厚規制ブレード１３を備えている。また、現像カートリッジ７には、現像ローラ１１および供給ローラ１２の上側において、現像剤の一例としてのトナーを収容する現像剤収容部の一例としてのトナー収容部１４が設けられている。
【００５１】
トナー収容部１４内には、トナーを攪拌するためのアジテータ１５が設けられている。
【００５２】
アジテータ１５は、左右方向に延びるアジテータ軸１６と、アジテータ軸１６からトナー収容部１４の内周面に向かって延びる攪拌羽根１７とを備え、アジテータ軸１６の中心軸線Ａ（回転軸線の一例、図３参照）を回転中心として回転される。すなわち、アジテータ１５は、回転部材の一例である。
【００５３】
そして、トナー収容部１４内のトナーは、供給ローラ１２と現像ローラ１１との間で正極性に摩擦帯電され、層厚規制ブレード１３により、一定厚さの薄層として現像ローラ１１の表面に担持される。
【００５４】
一方、感光ドラム８の表面は、スコロトロン型帯電器９によって一様に帯電された後、感光ドラム８の上側に対向配置されるＬＥＤユニット１０によって所定の画像データに基づいて露光される。これにより、感光ドラム８の表面には、画像データに基づく静電潜像が形成される。そして、現像ローラ１１に担持されるトナーが感光ドラム８の表面上の静電潜像に供給されることにより、感光ドラム８の表面上にトナー像（現像剤像）が担持される。
【００５５】
用紙Ｐは、本体ケーシング２の底部に設けられる給紙トレイ１８内に収容されており、各種ローラによって、後上側へＵターンするように搬送されて、所定のタイミングで１枚ずつ、感光ドラム８と搬送ベルト１９との間に給紙される。そして、搬送ベルト１９によって、すべての感光ドラム８とすべての転写ローラ２０との間を前側から後側に向かって搬送される。このとき、用紙Ｐにトナー像が転写される。
【００５６】
そして、用紙Ｐは、加熱ローラ２１と加圧ローラ２２との間を通過するときに加熱および加圧される。このとき、用紙Ｐには、トナー像が熱定着される。
【００５７】
その後、用紙Ｐは、前上側へＵターンするように搬送されて、トップカバー４に設けられる排紙トレイ２３に排紙される。
２．現像カートリッジの構成
現像カートリッジ７としては、本体ケーシング２とは別売りの交換仕様の現像カートリッジ７Ａ（第１のカートリッジの一例、図３参照）と、本体ケーシング２とセットで市販されるスタータ仕様の現像カートリッジ７Ｂ（第２のカートリッジの一例、図５参照）との複数（２つ）種類の現像カートリッジ７が用意されている。上記したプリンタ１は、これら複数種類の現像カートリッジ７のうち、１種類の現像カートリッジ７を選択的に本体ケーシング２に装着することにより、構成される。すなわち、これら複数種類の現像カートリッジ７は、本体ケーシング２とともに画像形成システムを構成する。
【００５８】
現像カートリッジ７（交換仕様の現像カートリッジ７Ａ、および、スタータ仕様の現像カートリッジ７Ｂ）は、図２に示すように、カートリッジフレーム３１と、カートリッジフレーム３１の左側に配置される駆動ユニット３２と、カートリッジフレーム３１の右側に配置される給電ユニット３３とを備えている。
【００５９】
なお、現像カートリッジ７の説明において、方向について言及するときには、現像ローラ１１が配置されている側を現像カートリッジ７の後側とし、層厚規制ブレード１３が配置されている側を上側とする。すなわち、現像カートリッジ７に関する上下前後方向は、プリンタ１に関する上下前後方向と相異なり、現像カートリッジ７は、その前側がプリンタ１の前上側（前上側と後下側とを結ぶ方向（第４方向）における一方側）、その後側がプリンタ１の後下側（前上側と後下側とを結ぶ方向における他方側）、その上側がプリンタ１の後上側（後上側と前下側とを結ぶ方向（第５方向）における一方側）、その下側がプリンタ１の前下側（後上側と前下側とを結ぶ方向における他方側）となるように、プリンタ１に装着されている。
（１）交換仕様の現像カートリッジ
（１−１）カートリッジフレーム
交換仕様の現像カートリッジ７Ａのカートリッジフレーム３１（第１のフレームの一例）は、左右方向に延びる略ボックス形状に形成されている。カートリッジフレーム３１は、図３および図４に示すように、左右１対の側壁３４と、前壁３５と、下壁３６と、上壁３７とを一体的に備えている。なお、以下の説明において、第１側壁の一例としての左側の側壁３４を左壁３４Ｌとし、第２側壁の一例としての右側の側壁３４を右壁３４Ｒとする。
【００６０】
両側壁３４は、上下前後に延びる側面視略矩形状に形成され、トナー収容部１４を区画するように、互いに左右方向に間隔を隔てて対向配置されている。また、両側壁３４には、アジテータ軸支持部３８が形成されている。なお、交換仕様の現像カートリッジ７Ａのトナー収容部１４が第１現像剤収容部の一例である。また、交換仕様の現像カートリッジ７Ａのアジテータ１５が第１攪拌部材の一例である。
【００６１】
アジテータ軸支持部３８は、側壁３４の前端部において、側壁３４を貫通するように左右方向に延びる略円筒形状に形成されている。アジテータ軸支持部３８の内径は、アジテータ軸１６の左右方向端部の直径よりも大径に形成されている。そして、アジテータ軸１６の左右方向端部は、アジテータ軸支持部３８を介して、側壁３４から左右方向外側へ露出されている。アジテータ軸支持部３８内には、シール部材３９（図３参照）が嵌合されている。
【００６２】
シール部材３９は、スポンジなどの弾性を有する材料から、左右方向に延びる略円柱形状に形成されている。シール部材３９の外径は、アジテータ軸支持部３８の内径よりも大径である。また、シール部材３９の径方向中央には、アジテータ軸挿通穴４０が貫通形成されている。
【００６３】
アジテータ軸挿通穴４０は、アジテータ軸１６の外径よりも小径な側面視略円形状に形成されている。
【００６４】
前壁３５は、両側壁３４の前端部間に架設されている。前壁３５は、上下左右に延びる略平板形状に形成されている。
【００６５】
下壁３６は、前壁３５の下端部に連続するように、両側壁３４の下端部間に架設されている。下壁３６は、前後左右に延びる略平板形状に形成されている。
【００６６】
上壁３７は、両側壁３４および前壁３５の上側に対向配置されている。上壁３７は、前後左右に延びる略平板形状に形成されている。上壁３７は、その周端縁において、両側壁３４および前壁３５の上端部に溶着されている。
（１−２）駆動ユニット
駆動ユニット３２は、図３に示すように、駆動側カバー４１、現像カップリング４２および駆動伝達部材の一例としてのアジテータギア４３とを備えている。
【００６７】
駆動側カバー４１は、左右方向に延び、左端部が閉鎖された略角筒形状に形成されている。駆動側カバー４１は、左壁３４Ｌにねじ止めされている。駆動側カバー４１には、現像カップリング４２の左端部を露出させる露出穴（図示せず）が形成されている。
【００６８】
現像カップリング４２は、駆動側カバー４１内に回転可能に支持されている。現像カップリング４２は、左右方向に延びる略円柱形状に形成されている。現像カップリング４２の左端部は、駆動側カバー４１の露出穴（図示せず）を介して左側へ露出されている。現像カップリング４２の左側面には、結合凹部（図示せず）が、現像カップリング４２の左面から右側へ凹むように形成されている。結合凹部（図示せず）には、現像カートリッジ７が本体ケーシング２内に装着された状態で、本体ケーシング２内に備えられる本体カップリング（図示せず）の先端が相対回転不能に挿入され、本体カップリング（図示せず）を介して、本体ケーシング２から回転駆動力が入力される。現像カップリング４２に入力された回転駆動力は、駆動側カバー４１内のギア列（図示せず）を介して、現像ローラ軸３０、供給ローラ軸２９およびアジテータ軸１６に伝達される。
【００６９】
アジテータギア４３は、左右方向に延びる略円柱形状に形成されている。アジテータギア４３は、ギア部４４と、嵌合部４５と、カラー部４６とを備えている。
【００７０】
ギア部４４は、アジテータギア４３の左右方向略中央において、左右方向に厚みを有する略円板形状に形成されている。ギア部４４の周面には、その全周にわたって、ギア歯が形成されている。ギア部４４の径方向中央には、アジテータ軸１６の右端部を受け入れ可能なアジテータ軸嵌合穴（図示せず）が貫通形成されている。
【００７１】
嵌合部４５は、ギア部４４の左面から左側へ突出するように、左右方向に延びる略円筒形状に形成されている。嵌合部４５は、ギア部４４と中心軸線を共有している。嵌合部４５の外径は、アジテータ軸支持部３８の内径と略同径（わずかに小径）である。
【００７２】
カラー部４６は、ギア部４４の右面から右側へ突出するように、左右方向に延び、右端部が閉鎖された略円筒形状に形成されている。
【００７３】
また、アジテータギア４３は、その嵌合部４５がアジテータ軸支持部３８に外嵌されるように、アジテータ軸１６の右端部に相対回転不能に取り付けられる（図３参照）。すなわち、アジテータ軸支持部３８、および、アジテータ軸１６の右端部は、アジテータギア４３を支持する支持部１６ａを構成する。
（１−３）給電ユニット
給電ユニット３３は、電極部材５１と、被検知部材の一例としての新品検知ギア５２と、付勢部材の一例としてのねじりコイルばね５３と、給電側カバー５４とを備えている。
【００７４】
電極部材５１は、導電性の樹脂材料（例えば、導電性ポリアセタール樹脂）などから側面視略矩形の平板形状に形成されている。電極部材５１は、右壁３４Ｒの右側に支持されている。電極部材５１は、現像ローラ軸支持部５５と、受電部５６とを備えている。
【００７５】
現像ローラ軸支持部５５は、電極部材５１の上側後端部において、電極部材５１を貫通するように、左右方向に延びる略円筒形状に形成されている。現像ローラ軸支持部５５の内径は、現像ローラ軸３０の右端部と略同径（わずかに大径）に形成されている。そして、現像ローラ軸３０は、その右端部において、現像ローラ軸支持部５５内に回転可能に支持されている。
【００７６】
受電部５６は、現像ローラ軸支持部５５の前側において、左右方向に延びる略円筒形状に形成されている。
【００７７】
また、電極部材５１は、現像ローラ軸支持部５５の前下側において、供給ローラ軸２９を回転可能に支持する供給ローラ軸支持部（図示せず）を備えている。
【００７８】
新品検知ギア５２は、絶縁性の樹脂材料（例えば、ポリアセタール樹脂）から左右方向に延びる略円筒形状に形成されている。新品検知ギア５２は、欠け歯ギア５７と、筒部５８と、被検知端部５９とを一体的に備えている。
【００７９】
欠け歯ギア５７は、左右方向に厚みを有する略円板形状に形成されている。欠け歯ギア５７の周面には、中心角が約２０５°をなす部分にギア歯が形成されている。すなわち、欠け歯ギア５７の周面には、ギア歯が形成されている歯部６０と、ギア歯が形成されていない欠け歯部６１とが形成されている。そして、歯部６０は、アジテータギア４３に後側から噛合される。一方、欠け歯部６１は、アジテータギア４３に噛合されない。また、欠け歯ギア５７の径方向中央には、受電部５６を受け入れる挿通穴（図示せず）が形成されている。
【００８０】
筒部５８は、欠け歯ギア５７の挿通穴（図示せず）の周縁部から右側に突出し、欠け歯ギア５７と中心軸線を共有する略円筒形状に形成されている。筒部５８の内径は、挿通穴（図示せず）の直径と同径である。筒部５８は、鍔部６２と被付勢部６３とを備えている。
【００８１】
鍔部６２は、筒部５８の左端部において、筒部５８の径方向外面から径方向外側へ突出し、筒部５８の周方向に延びる突条として形成されている。
【００８２】
被付勢部６３は、鍔部６２の右側において、筒部５８の径方向外面から径方向外側へ突出する側面視略楔形状に突出形成されている。
【００８３】
被検知端部５９は、筒部５８の右端部から連続して右側へ延び、中心角約１２０°の部分円筒形状に形成されている。
【００８４】
そして、新品検知ギア５２は、電極部材５１の受電部５６に回転可能に外嵌される。このとき、欠け歯ギア５７の歯部６０の右側面視時計回り方向下流側端部は、アジテータギア４３に前側から噛合される。また、受電部５６の右端部の下側半分は、被検知端部５９によって径方向外側から被覆される。また、受電部５６の右端部の上側半分は、被検知端部５９から露出される。
【００８５】
ねじりコイルばね５３は、金属から形成され、コイル部６４と、固定端部６５と、付勢端部６６とを備えている。
【００８６】
コイル部６４は、左側から右側へ向かうに従って右側面視反時計回りに巻かれる螺旋形状に形成されている。
【００８７】
固定端部６５は、コイル部６４の左端部から連続して前側へ延びる略直線形状に形成されている。
【００８８】
付勢端部６６は、コイル部６４の右端部から連続して後側へ延び、その後端部において下側へ屈曲される略Ｌ字形状に形成されている。
【００８９】
そして、ねじりコイルばね５３は、コイル部６４において、給電側カバー５４内に支持されるとともに、固定端部６５において、右壁３４Ｒの前上側端部に固定される。また、付勢端部６６は、新品検知ギア５２の被付勢部６３に前上側から当接される。これにより、新品検知ギア５２は、常には、右側面視時計回りに付勢される。
【００９０】
給電側カバー５４は、左右方向に延び、右端部が閉鎖された略筒形状に形成されている。給電側カバー５４は、右壁３４Ｒにねじ止めされている。
【００９１】
なお、給電側カバー５４は、新品検知ギア５２（後述）とアジテータギア４３（後述）とを一括して被覆可能なサイズ（前後方向長さおよび上下方向長さ）に形成されている。また、給電側カバー５４は、新品検知ギア露出開口６７を有している。
【００９２】
新品検知ギア露出開口６７は、給電側カバー５４の前後方向略中央の右壁において、新品検知ギア５２（後述）の被検知端部５９（後述）を露出させるように、側面視略円形状に貫通形成されている。
（２）スタータ仕様の現像カートリッジ
スタータ仕様の現像カートリッジ７Ｂは、図５および図６に示すように、シール部材３９、アジテータギア４３、新品検知ギア５２、および、ねじりコイルばね５３を備えていない。
【００９３】
また、スタータ仕様の現像カートリッジ７Ｂのカートリッジフレーム３１（第２のフレームの一例）では、右側のアジテータ軸支持部３８の右端部が閉鎖されている。
【００９４】
そして、アジテータ軸１６は、交換仕様の現像カートリッジ７Ａのアジテータ軸１６よりも短く形成され、その右端部において、右側のアジテータ軸支持部３８内に嵌合されている。なお、スタータ仕様の現像カートリッジ７Ｂのアジテータ１５は、第２攪拌部材の一例である。
【００９５】
スタータ仕様の現像カートリッジ７Ｂでは、上記した点において、交換仕様の現像カートリッジ７Ａと異なり、それ以外の点において、交換仕様の現像カートリッジ７Ａと同一である。
３．本体ケーシングの構成
本体ケーシング２内には、図２に示すように、現像カートリッジ７に現像バイアスを供給するための検知手段の一例としての電極ユニット７１が設けられている。
【００９６】
電極ユニット７１は、金属からなる本体電極７２を備えている。電極ユニット７１は、本体電極７２が現像カートリッジ７の受電部５６に上側から接触される接触位置（図２中の太い仮想線参照）と、本体電極７２が現像カートリッジ７の受電部５６から上側へ退避される接触解除位置（図２中の細い仮想線参照）とに揺動可能に構成されている。
【００９７】
そして、電極ユニット７１は、図示しない付勢部材により、常には、接触位置へ向かって下側へ付勢されている。
４．新品検知動作
図２を参照して、交換仕様の現像カートリッジ７Ａの新品検知動作を説明する。
【００９８】
現像カートリッジ７が本体ケーシング２に装着されると、本体ケーシング２内の本体カップリング（図示せず）の先端が現像カップリング４２の結合凹部（図示せず）に相対回転不能に挿入される。そして、本体カップリング（図示せず）を介して、現像カップリング４２に本体ケーシング２から駆動力が入力され、ウォーミングアップ動作が開始される。
【００９９】
このとき、交換仕様の現像カートリッジ７Ａを本体ケーシング２に装着した場合には、本体ケーシング２において、交換仕様の現像カートリッジ７Ａが未使用（新品）であるか否か判別される（新品検知動作）。
【０１００】
詳しくは、本体ケーシング２のトップカバー４を開放して、交換仕様の現像カートリッジ７Ａが装着されたプロセスカートリッジ５を本体ケーシング２に装着すると、交換仕様の現像カートリッジ７Ａの受電部５６が、電極ユニット７１の本体電極７２に当接される。
【０１０１】
これにより、本体ケーシング２の電源（図示せず）から交換仕様の現像カートリッジ７Ａの受電部５６へ、現像バイアスが供給される。
【０１０２】
交換仕様の現像カートリッジ７Ａの受電部５６に給電された現像バイアスは、電極部材５１を介して現像ローラ軸３０に印加される。
【０１０３】
すると、本体ケーシング２内のＣＰＵ（図示せず）は、交換仕様の現像カートリッジ７Ａに現像バイアスが供給されていると判断する。
【０１０４】
そして、ウォーミングアップ動作が開始されると、現像カップリング４２からギア列（図示せず）を介してアジテータ軸１６に駆動力が伝達され、アジテータ１５が回転される。
【０１０５】
アジテータ１５が回転されると、図４に示すように、アジテータ軸１６およびアジテータギア４３を介して新品検知ギア５２の欠け歯ギア５７の歯部６０に駆動力が伝達され、新品検知ギア５２が右側面視時計回りに回転される。
【０１０６】
すると、新品検知ギア５２の被検知端部５９が、付勢部材（図示せず）の付勢力に抗して電極ユニット７１を押圧し、電極ユニット７１を接触解除位置に配置させるとともに、受電部５６と本体電極７２との間に介在される。
【０１０７】
これにより、受電部５６と本体電極７２との導通が被検知端部５９によって絶縁され、本体ケーシング２の電源（図示せず）から、交換仕様の現像カートリッジ７Ａの受電部５６への現像バイアスの供給が、解除される。
【０１０８】
すると、本体ケーシング２内のＣＰＵ（図示せず）は、交換仕様の現像カートリッジ７Ａに現像バイアスが供給されていないと判断する。
【０１０９】
そして、さらに新品検知ギア５２が右側面視時計回りに回転されると、新品検知ギア５２の被検知端部５９が、受電部５６と本体電極７２との間を通過する。
【０１１０】
すると、電極ユニット７１は、付勢部材（図示せず）の付勢力によって、再び接触位置に配置される。
【０１１１】
これにより、再び、本体ケーシング２の電源（図示せず）から、交換仕様の現像カートリッジ７Ａの受電部５６へ、現像バイアスが供給される。
【０１１２】
すると、本体ケーシング２内のＣＰＵ（図示せず）は、交換仕様の現像カートリッジ７Ａに現像バイアスが供給されていると判断する。
【０１１３】
その後、さらに新品検知ギア５２が回転されると、新品検知ギア５２の欠け歯部６１がアジテータギア４３に対向されて、新品検知ギア５２の歯部６０とアジテータギア４３との噛合が解除され、新品検知ギア５２の回転駆動が停止される。その後、ウォーミングアップ動作が終了する。
【０１１４】
そして、ＣＰＵ（図示せず）は、ウォーミングアップ動作が開始された後に、交換仕様の現像カートリッジ７Ａに現像バイアスが供給されている、交換仕様の現像カートリッジ７Ａに現像バイアスが供給されていない、交換仕様の現像カートリッジ７Ａに現像バイアスが供給されている、と順次判断したときに、交換仕様の現像カートリッジ７Ａが新品（未使用）であると判断する。
【０１１５】
一方、新品の交換仕様の現像カートリッジ７Ａを装着した後に、たとえば、用紙Ｐの詰まり（ジャム）などによって、一旦、その交換仕様の現像カートリッジ７Ａを本体ケーシング２から離脱させ、再び本体ケーシング２に装着したときには、新品検知ギア５２は、欠け歯ギア５７の欠け歯部６１がアジテータギア４３と対向する位置で停止されている。
【０１１６】
そのため、再装着において、ウォーミングアップ動作が実行されても、新品検知ギア５２は回転駆動されず、新品検知動作が実施されない。このとき、ＣＰＵ（図示せず）は、電極ユニット７１が接触位置に配置されているため、常に、交換仕様の現像カートリッジ７Ａに現像バイアスが供給されていると判断する。
【０１１７】
これにより、ＣＰＵ（図示せず）では、その再装着された交換仕様の現像カートリッジ７Ａ（旧品の交換仕様の現像カートリッジ７Ａ）を、使用途中（旧品）であると判断する。
【０１１８】
なお、ユーザがプリンタ１を購入した当初には、本体ケーシング２と、スタータ仕様の現像カートリッジ７Ｂを備えるプロセスカートリッジ５とが梱包されている。このとき、交換仕様の現像カートリッジ７Ａは梱包されていない。
【０１１９】
スタータ仕様の現像カートリッジ７Ｂには、上記したように、新品検知ギア５２が設けられていない。
【０１２０】
そのため、スタータ仕様の現像カートリッジ７Ｂが装着されたプロセスカートリッジ５が本体ケーシング２に装着されたときには、ウォーミングアップ動作が実行されても、上記した新品検知動作が実施されない。
【０１２１】
このとき、ＣＰＵ（図示せず）は、電極ユニット７１が接続位置に配置されているため、常に、現像カートリッジ７に現像バイアスが供給されていると判断する。
【０１２２】
これにより、ＣＰＵ（図示せず）では、プリンタ１の購入後、最初に装着された現像カートリッジ７を、スタータ仕様の現像カートリッジ７Ｂであると判断する。
４．作用効果
（１）この画像形成システムによれば、図３および図５に示すように、スタータ仕様の現像カートリッジ７Ｂにおいて、交換仕様の現像カートリッジ７Ａに装着可能な新品検知ギア５２を動作させるアジテータギア４３を省くことができる。つまり、新品検知ギア５２の動作を規制している。
【０１２３】
そのため、スタータ仕様の現像カートリッジ７Ｂの構成を簡略化することができ、不必要な構成の増加を抑制することができる。
（２）また、この画像形成システムによれば、図３および図５に示すように、スタータ仕様の現像カートリッジ７Ｂのカートリッジフレーム３１において、アジテータ軸支持部３８を閉鎖し、シール部材３９など、アジテータ軸１６の右端部（アジテータギア４３を支持する支持部１６ａ）を露出させるための構成を省くことができる。
【０１２４】
その結果、スタータ仕様の現像カートリッジ７Ｂの構成を確実に簡略化することができる。
（３）また、この画像形成システムによれば、図３に示すように、交換仕様の現像カートリッジ７Ａにおいて、現像カップリング４２と新品検知ギア５２とを、互いに別の側壁３４（左壁３４Ｌと右壁３４Ｒ）に配置することができる。
【０１２５】
そのため、左壁３４Ｌと右壁３４Ｒの面積を小さくすることができる。
【０１２６】
その結果、交換仕様の現像カートリッジ７Ａの小型化を図ることができる。
（４）また、この画像形成システムによれば、図３および図４に示すように、現像カップリング４２に入力された駆動力を、左壁３４Ｌと右壁３４Ｒとの間に配置されるアジテータ１５を介して、新品検知ギア５２に伝達することができる。
【０１２７】
その結果、簡易な構成で、現像カップリング４２に入力された駆動力を、新品検知ギア５２に伝達することができる。
（５）また、この画像形成システムによれば、図５に示すように、スタータ仕様の現像カートリッジ７Ｂにおいて、アジテータ軸支持部３８を閉鎖し、アジテータギア４３を支持するアジテータ軸１６の右端部を、右壁３４Ｒから露出しないように構成している。
【０１２８】
そのため、スタータ仕様の現像カートリッジ７Ｂにおいて、簡易な構成で、シール部材３９など、アジテータ軸１６の右端部（アジテータギア４３を支持する支持部）を露出させるための構成や、アジテータギア４３（新品検知ギア５２を動作させるための構成）を省くことができる。
（６）また、この画像形成システムによれば、図３に示すように、新品検知ギア５２は、ギア歯を有する歯部６０を備えている。
【０１２９】
そのため、簡易な構成で、新品検知ギア５２に駆動力を伝達することができる。
５．第２実施形態
（１）第２実施形態の概要
図７〜図９を参照して、本発明の第２実施形態を説明する。なお、第２実施形態において、上記した第１実施形態と同様の部材には同様の符号を付し、その説明を省略する。
【０１３０】
上記した第１実施形態では、交換仕様の現像カートリッジ７Ａにおいて、新品検知ギア５２を、給電側カバー５４内に設けている。
【０１３１】
対して、第２実施形態では、図８に示すように、交換仕様の現像カートリッジ１０１Ａ（第１のカートリッジの一例）において、新品検知ギア１０２を、駆動側カバー１０３内に設けている。
（２）現像カートリッジの構成
（２−１）交換仕様の現像カートリッジ
交換仕様の現像カートリッジ１０１Ａは、図７および図８に示すように、駆動側カバー１０３内において、ギア列１０９と、支持部の一例としての新品検知ギア支持部１０８と、被検知部材の一例としての新品検知ギア１０２と、付勢部材の一例としてのねじりコイルばね１０４とを備えている。
【０１３２】
ギア列１０９は、受動部材の一例としての現像カップリング１１０、現像ギア１１１、供給ギア１１２、アジテータギア１１３を備えている。
【０１３３】
現像カップリング１１０は、左右方向に延びる略円柱形状に形成されている。現像カップリング１１０の左面には、結合凹部１１４が、右側へ凹むように形成されている。現像カップリング１１０の右端部には、その外周面においてギア歯を有するギア部１１６が形成されている。結合凹部１１４には、現像カートリッジ１０１が本体ケーシング２内に装着された状態で、本体ケーシング２内に備えられる本体カップリング（図示せず）の先端が相対回転不能に挿入され、本体カップリング（図示せず）を介して、本体ケーシング２から回転駆動力が入力される。
【０１３４】
現像ギア１１１は、現像ローラ軸３０の左端部に相対回転不能に支持されている。現像ギア１１１は、アイドルギア１１５を介して現像カップリング１１０のギア部１１６に噛合されている。
【０１３５】
供給ギア１１２は、供給ローラ軸２９の左端部に相対回転不能に支持されている。供給ギア１１２は、現像カップリング１１０のギア部１１６に噛合されている。
【０１３６】
アジテータギア１１３は、アジテータ軸１６の左端部に相対回転不能に支持されている。アジテータギア１１３は、アイドルギア１１７を介して現像カップリング１１０のギア部１１６に噛合されている。
【０１３７】
新品検知ギア支持部１０８は、アジテータギア１１３の前側において、左右方向に延びる略円筒形状に形成されている。
【０１３８】
駆動側カバー１０３は、左右方向に延び、左端部が閉鎖された略角筒形状に形成されている。駆動側カバー１０３は、左壁３４Ｌにねじ止めされている。駆動側カバー１０３には、カップリングカラー１０５と、新品検知ギア被覆部１０６とが形成されている。
【０１３９】
カップリングカラー１０５は、駆動側カバー１０３の後端部の左壁から左側へ突出する略円筒形状に形成されている。なお、カップリングカラー１０５の右端部は、駆動側カバー１０３内に連通されている。カップリングカラー１０５内には、現像カップリング１１０の左端部が回転可能に挿通される。
【０１４０】
新品検知ギア被覆部１０６は、駆動側カバー１０３の前端部の左壁から左側へ突出し、左端部が閉鎖された略角筒形状に形成されている。新品検知ギア被覆部１０６には、露出開口１１８が形成されている。
【０１４１】
露出開口１１８は、新品検知ギア被覆部１０６の後端部から前側へ向かって切り欠かれるように、後側が開放された側面視略Ｕ字形状に形成されている。
【０１４２】
新品検知ギア１０２は、絶縁性の樹脂材料（例えば、ポリアセタール樹脂）から左右方向に延びる略円板形状に形成されている。また、新品検知ギア１０２は、欠け歯ギア１１９と、被検知筒部１２１と、被付勢部１２０とを一体的に備えている。
【０１４３】
欠け歯ギア１１９は、左右方向に厚みを有する略円板形状に形成されている。欠け歯ギア１１９の周面には、部分的にギア歯が形成されている。すなわち、欠け歯ギア１１９の周面には、ギア歯が形成されている歯部１２２と、ギア歯が形成されていない欠け歯部１２３とが形成されている。
【０１４４】
被検知筒部１２１は、欠け歯ギア１１９を貫通するように左右方向に延びる略円筒形状に形成されている。被検知筒部１２１は、当接部１２４を備えている。
【０１４５】
当接部１２４は、被検知筒部１２１の左端部において、その周方向に互いに約１２０°の間隔を隔てて２つ配置されている。当接部１２４は、その径方向外面から径方向外側へ向かって延びる略矩形平板形状に形成されている。
【０１４６】
被付勢部１２０は、被検知筒部１２１の径方向外側に配置されている。被付勢部１２０は、欠け歯ギア１１９の左面から左側へ突出し、被検知筒部１２１の径方向外側へ向かう頂部を有する側面視略楔形状に形成されている。
【０１４７】
そして、新品検知ギア１０２は、被検知筒部１２１において、新品検知ギア支持部１０８に回転可能に外嵌される。このとき、欠け歯ギア１１９の歯部１２２の左側面視反時計回り方向下流側端部は、アジテータギア１１３に前側から噛合される。
【０１４８】
ねじりコイルばね１０４は、金属から形成され、コイル部１２５と、固定端部１２６と、付勢端部１２７とを備えている。
【０１４９】
コイル部１２５は、右側から左側へ向かうに従って左側面視時計回りに巻かれる螺旋形状に形成されている。
【０１５０】
固定端部１２６は、コイル部１２５の右端部から連続して下側へ延びる略直線形状に形成されている。
【０１５１】
付勢端部１２７は、コイル部１２５の左端部から連続して屈曲しながら後側へ延びる略クランク形状に形成されている。
【０１５２】
そして、ねじりコイルばね１０４は、コイル部１２５において、駆動側カバー１０３内に支持されるとともに、固定端部１２６において、左壁３４Ｌの前端部に固定される。また、付勢端部１２７は、新品検知ギア１０２の被付勢部１２０に前上側から当接される。これにより、新品検知ギア１０２は、常には、左側面視反時計回りに付勢される。
（２−２）スタータ仕様の現像カートリッジ
スタータ仕様の現像カートリッジ１０１Ｂ（第２のカートリッジの一例）には、図９に示すように、上記した交換仕様の現像カートリッジ１０１Ａと異なり、新品検知ギア支持部１０８、新品検知ギア１０２、および、ねじりコイルばね１０４が設けられていない。
【０１５３】
スタータ仕様の現像カートリッジ１０１Ｂでは、上記した点において、交換仕様の現像カートリッジ１０１Ａと異なり、それ以外の点において、交換仕様の現像カートリッジ１０１Ａと同一である。
（３）第２実施形態の新品検知動作
図７および図８を参照して、交換仕様の現像カートリッジ１０１Ａの新品検知動作を説明する。
【０１５４】
交換仕様の現像カートリッジ１０１Ａの本体ケーシング２への装着が完了すると、露出開口１１８内に、本体ケーシング２内に設けられるセンサユニット（図示せず）の探針（図示せず）が配置される。
【０１５５】
ウォーミングアップ動作が開始されると、現像カップリング４２からギア列１０９を介して、新品検知ギア５２の欠け歯ギア５７の歯部６０に駆動力が伝達され、新品検知ギア５２が左側面視反時計回りに回転される。
【０１５６】
すると、新品検知ギア５２の当接部１２４が、露出開口１１８内を通過するときに、センサユニット（図示せず）の探針（図示せず）に当接される。
【０１５７】
すると、本体ケーシング２内のＣＰＵ（図示せず）は、センサユニット（図示せず）の検知に基づいて、交換仕様の現像カートリッジ１０１Ａが新品（未使用）であると判断する。
【０１５８】
その後、さらに新品検知ギア５２が回転されると、新品検知ギア５２の欠け歯部６１がアジテータギア４３に対向されて、新品検知ギア５２の歯部６０とアジテータギア４３との噛合が解除され、新品検知ギア５２の回転駆動が停止される。その後、ウォーミングアップ動作が終了する。
【０１５９】
一方、新品の交換仕様の現像カートリッジ１０１Ａを装着した後に、たとえば、用紙Ｐの詰まり（ジャム）などによって、一旦、その交換仕様の現像カートリッジ１０１Ａを本体ケーシング２から離脱させ、再び本体ケーシング２に装着したときには、新品検知ギア５２は、欠け歯ギア５７の欠け歯部６１がアジテータギア４３と対向する位置で停止されている。
【０１６０】
そのため、再装着において、ウォーミングアップ動作が実行されても、新品検知ギア５２は回転駆動されず、新品検知ギア５２の当接部１２４が、センサユニット（図示せず）の探針（図示せず）に当接されない。
【０１６１】
これにより、ＣＰＵ（図示せず）は、その再装着された交換仕様の現像カートリッジ１０１Ａ（旧品の交換仕様の現像カートリッジ１０１Ａ）を、使用途中（旧品）であると判断する。
【０１６２】
なお、ユーザがプリンタ１を購入した当初には、本体ケーシング２と、スタータ仕様の現像カートリッジ１０１Ｂを備えるプロセスカートリッジ５とが梱包されている。
【０１６３】
スタータ仕様の現像カートリッジ１０１Ｂには、上記したように、新品検知ギア５２が設けられていない。
【０１６４】
そのため、スタータ仕様の現像カートリッジ１０１Ｂが装着されたプロセスカートリッジ５が本体ケーシング２に装着されたときには、ウォーミングアップ動作が実行されても、上記した新品検知動作が実施されない。
【０１６５】
これにより、ＣＰＵ（図示せず）では、プリンタ１の購入後、最初に装着された現像カートリッジ１０１を、スタータ仕様の現像カートリッジ１０１Ｂであると判断する。
（４）第２実施形態の作用効果
第２実施形態の画像形成システムによれば、図９に示すように、スタータ仕様の現像カートリッジ１０１Ｂのカートリッジフレーム３１において、新品検知ギア支持部１０８が省かれている。すなわち、スタータ仕様の現像カートリッジ１０１Ｂのカートリッジフレーム３１は、交換仕様の現像カートリッジ１０１Ａのカートリッジフレーム３１に装着可能な新品検知ギア１０２のみならず、その新品検知ギア１０２と異なる被検知部材（例えば、現像カートリッジ１０１内のトナーの容量の違いを区別するもの）を装着するための部材をも備えていない。
【０１６６】
そのため、スタータ仕様の現像カートリッジ１０１Ｂのカートリッジフレーム３１の構成をより簡略化することができ、スタータ仕様の現像カートリッジ１０１Ｂの不必要な構成の増加をより抑制することができる。
【０１６７】
第２実施形態においても、上記した第１実施形態と同様の作用効果を得ることができる。
（５）第２実施形態の変形例
なお、図１０に示すように、スタータ仕様の現像カートリッジ１０１Ｂのカートリッジフレーム３１は、新品検知ギア支持部１０８、新品検知ギア１０２、および、ねじりコイルばね１０４を備えていない分、その後端部が切欠かれるように、前後方向に小型に形成することもできる。
【０１６８】
この場合、トナー収容部１４の容積は、交換仕様の現像カートリッジ１０１Ａのトナー収容部１４よりも小さくなる。なお、スタータ仕様の現像カートリッジ１０１Ｂのトナー収容部１４は、第２現像剤収容部の一例である。
【０１６９】
この変形例によれば、スタータ仕様の現像カートリッジ１０１Ｂのカートリッジフレーム３１は、新品検知ギア支持部１０８が省かれるとともに、トナー収容部１４の容積が小さく設定されている。
【０１７０】
そのため、スタータ仕様の現像カートリッジ１０１Ｂのカートリッジフレーム３１の構成を確実に簡略化するとともに、その小型化を図ることができる。
５．第３実施形態
（１）第３実施形態の概要
図１１〜図１３を参照して、本発明の第３実施形態を説明する。なお、第３実施形態において、上記した第１実施形態と同様の部材には同様の符号を付し、その説明を省略する。
【０１７１】
上記した第１実施形態では、現像カートリッジ７を、ドラムカートリッジ６に対して着脱可能に構成している。また、交換仕様の現像カートリッジ７Ａは、被検知部材の一例として新品検知ギア５２を備えている。
【０１７２】
対して、第３実施形態では、図１１に示すように、カートリッジの一例としてのプロセスカートリッジ１３０を、トナーを収容する現像ユニット１３１と、感光ドラム１３３を有するドラムユニット１３２とを一体的に備えるように構成する。また、交換仕様のプロセスカートリッジ１３０Ａ（第１のカートリッジの一例）は、被検知部材の一例としてＩＣチップ１３４を備えている。
（２）プロセスカートリッジの構成
（２−１）交換仕様のプロセスカートリッジ
交換仕様のプロセスカートリッジ１３０Ａは、現像ユニット１３１の左側の側壁１３６（第１のフレームの一例）において、ＩＣチップ１３４を支持する支持部の一例としてのホルダ１３７を備えている。
【０１７３】
ホルダ１３７は、側面視略矩形の枠形状に形成されている。
【０１７４】
ＩＣチップ１３４は、側面視略矩形の平板形状に形成されている。ＩＣチップ１３４には、交換仕様のプロセスカートリッジ１３０Ａの情報（仕様など）が記憶されている。ＩＣチップ１３４は、ホルダ１３７内に嵌合される。
（２−２）スタータ仕様のプロセスカートリッジ
スタータ仕様のプロセスカートリッジ１３０Ｂ（第２のカートリッジの一例）の現像ユニット１３１の左側の側壁１３６（第２のフレームの一例）は、図１２に示すように、上記した交換仕様のプロセスカートリッジ１３０Ａと異なり、ホルダ１３７およびＩＣチップ１３４を備えていない。
【０１７５】
スタータ仕様のプロセスカートリッジ１３０Ｂでは、上記した点において、交換仕様のプロセスカートリッジ１３０Ａと異なり、それ以外の点において、交換仕様のプロセスカートリッジ１３０Ａと同一である。
（３）第３実施形態の作用効果
第３実施形態においても、上記した第２実施形態と同様の作用効果を得ることができる。
（４）第３実施形態の変形例
上記した第３実施形態では、スタータ仕様のプロセスカートリッジ１３０Ｂにおいて、ホルダ１３７を省いているが、図１３に示すように、現像ユニット１３１の左側の側壁１３６のホルダ１３７の内側に、ＩＣチップ１３４の装着を規制する規制部の一例としての規制リブ１４０を形成することもできる。
【０１７６】
規制リブ１４０は、左側の側壁１３６から左側へ突出し、側面視略十字形状に形成されている。
【０１７７】
この変形例によれば、規制リブ１４０により、スタータ仕様のプロセスカートリッジ１３０Ｂに、交換仕様のプロセスカートリッジ１３０Ａに装着可能なＩＣチップ１３４と同一のＩＣチップ１３４が装着されることを確実に防ぐことができる。
【０１７８】
また、この変形例においても、上記した第２実施形態と同様の作用効果を得ることができる。
６．第４実施形態
（１）第４実施形態の概要
図１４を参照して、本発明の第４実施形態を説明する。なお、第４実施形態において、上記した第１実施形態と同様の部材には同様の符号を付し、その説明を省略する。
【０１７９】
上記した第１実施形態では、交換仕様の現像カートリッジ７Ａとして、１種類の現像カートリッジ７Ａを挙げている。
【０１８０】
対して、第４実施形態では、交換仕様の現像カートリッジ７Ａとして、例えば、異なる印刷可能枚数を有する複数種類の現像カートリッジ７Ａを含む。
（２）現像カートリッジの構成
（２−１）交換仕様の現像カートリッジ
複数種類の交換仕様の現像カートリッジ７Ａには、それぞれ、異なる形状の新品検知ギアが装備される。
【０１８１】
具体的には、印刷可能枚数が少ない現像カートリッジ７Ａは、上記した第１実施形態における交換仕様の現像カートリッジ７Ａと同一である。
【０１８２】
一方、印刷可能枚数が多い現像カートリッジ７Ａには、上記した新品検知ギア５２と異なる形状を有する新品検知ギア１５１を装備する。
【０１８３】
図１４に示すように、新品検知ギア１５１は、複数（２つ）の被検知端部１５２を備えている。
【０１８４】
被検知端部１５２は、筒部５８の径方向両端部に１つずつ設けられている。詳しくは、一方（前側）の被検知端部１５２は、右側面視において、歯部６０の時計回り方向下流側端部の径方向内側に配置されている。また、他方（後側）の被検知端部１５２は、右側面視において、歯部６０の時計回り方向略中央の径方向内側に配置されている。
【０１８５】
そして、上記した第１実施形態と同様に、現像カートリッジ７の本体ケーシング２内への装着が完了すると、プリンタ１のウォーミングアップ動作が開始されて、新品検知ギア１５１が右側面視時計回りに回転される。
【０１８６】
すると、新品検知ギア１５１の複数の被検知端部１５２が、順次、受電部５６と本体電極７２との間を通過する。
【０１８７】
このとき、受電部５６と本体電極７２との導通が、被検知端部１５２によって、複数回絶縁される。
【０１８８】
そして、ＣＰＵ（図示せず）は、ウォーミングアップ動作が開始された後に、複数回、現像カートリッジ７Ａに現像バイアスが供給されていないと判断したときに、現像カートリッジ７Ａの印刷可能枚数が多いと判断する。
（２−２）スタータ仕様の現像カートリッジ
第４実施形態におけるスタータ仕様の現像カートリッジ７Ｂは、上記した第１実施形態におけるスタータ仕様の現像カートリッジ７Ｂと同一である。
【０１８９】
つまり、スタータ仕様の現像カートリッジ７Ｂでは、アジテータギア４３が省かれており、新品検知ギア５２の動作だけでなく、新品検知ギア５２と異なる新品検知ギア１５１の動作をも規制される。
（３）第４実施形態の作用効果
（３−１）第４実施形態の画像形成システムによれば、スタータ仕様の現像カートリッジ７Ｂにおいて、新品検知ギア５２と異なる新品検知ギア１５１を装着するための部材をも省くことができる。
【０１９０】
そのため、スタータ仕様の現像カートリッジ７Ｂの構成をより簡略化することができ、スタータ仕様の現像カートリッジ７Ｂの不必要な構成の増加をより抑制することができる。
（３−２）また、第４実施形態においても、上記した第１実施形態と同様の作用効果を得ることができる。
６．第５実施形態
（１）第５実施形態の概要
上記した第５実施形態では、スタータ仕様の現像カートリッジ７Ｂにおいて、アジテータギア４３を省き、新品検知ギア５２の動作だけでなく、新品検知ギア５２と異なる新品検知ギア１５１の動作をも規制し、複数種類の交換仕様の現像カートリッジ７Ａと、スタータ仕様の現像カートリッジ７Ｂとを区別している。
【０１９１】
対して、第５実施形態では、複数種類の交換仕様の現像カートリッジ７Ａのそれぞれを、互いに区別する。
【０１９２】
なお、以下の説明において、複数種類の交換仕様の現像カートリッジ７Ａのうち、印刷可能枚数が少ない現像カートリッジ７Ａが、第１のカートリッジであり、印刷可能枚数が多い現像カートリッジ７Ａが、第２のカートリッジである。
（２）現像カートリッジの構成
（２−１）印刷可能枚数が少ない現像カートリッジ
印刷可能枚数が少ない現像カートリッジ７Ａは、上記した第１実施形態における交換仕様の現像カートリッジ７Ａと同一である。
（２−２）印刷可能枚数が多い現像カートリッジ
第５実施形態では、例えば、印刷可能枚数が多い現像カートリッジ７Ａのアジテータギア４３の嵌合部４５を、印刷可能枚数が少ない現像カートリッジ７Ａのアジテータギア４３の嵌合部４５よりも大径に構成する。
【０１９３】
また、印刷可能枚数が多い現像カートリッジ７Ａのアジテータ軸支持部３８を、印刷可能枚数が多い現像カートリッジ７Ａのアジテータギア４３の嵌合部４５が嵌合されるように、印刷可能枚数が少ない現像カートリッジ７Ａのアジテータ軸支持部３８よりも大径に構成する。
【０１９４】
これにより、印刷可能枚数が多い現像カートリッジ７Ａのアジテータ軸支持部３８には、印刷可能枚数が少ない現像カートリッジ７Ａのアジテータギア４３が嵌合不能である一方、印刷可能枚数が多い現像カートリッジ７Ａのアジテータギア４３が嵌合可能である。
【０１９５】
つまり、印刷可能枚数が多い現像カートリッジ７Ａのカートリッジフレーム３１は、印刷可能枚数が少ない現像カートリッジ７Ａのアジテータギア４３の装備を規制することにより、新品検知ギア５２の装備を規制する。
【０１９６】
また、印刷可能枚数が多い現像カートリッジ７Ａのカートリッジフレーム３１は、印刷可能枚数が多い現像カートリッジ７Ａのアジテータギア４３の装備を許容することにより、新品検知ギア５２と異なる新品検知ギア１５１の動作を許容する。
（３）第５実施形態の作用効果
（３−１）第５実施形態の画像形成システムによれば、印刷可能枚数が異なる複数種類の交換仕様の現像カートリッジ７Ａを用意し、印刷可能枚数が少ない現像カートリッジ７Ａに、新品検知ギア５２を装備し、印刷可能枚数が多い現像カートリッジ７Ａに、新品検知ギア５２と異なる新品検知ギア１５１を装備する場合に、印刷可能枚数が多い現像カートリッジ７Ａに、新品検知ギア５２が誤装着されることを防ぎながら、新品検知ギア１５１を装着することができる。
【０１９７】
そのため、部品点数を増加させることなく、印刷可能枚数が多い現像カートリッジ７Ａに新品検知ギア５２が装着されることを防止することができる。
（３−２）また、第５実施形態においても、上記した第１実施形態と同様の作用効果を得ることができる。
【符号の説明】
【０１９８】
２        本体ケーシング
７        現像カートリッジ
７Ａ      交換仕様の現像カートリッジ
７Ｂ      スタータ仕様の現像カートリッジ
１４      トナー収容部
１５      アジテータ
３１      カートリッジフレーム
３４Ｒ    右壁
３４Ｌ    左壁
３８      アジテータ軸支持部
４２      現像カップリング
４３      アジテータギア
５２      新品検知ギア
７１      電極ユニット
１０１    現像カートリッジ
１０１Ａ  交換仕様の現像カートリッジ
１０１Ｂ  スタータ仕様の現像カートリッジ
１０２    新品検知ギア
１０８    新品検知ギア支持部
１２２    歯部
１３０    プロセスカートリッジ
１３０Ａ  交換仕様の現像カートリッジ
１３０Ｂ  スタータ仕様の現像カートリッジ
１３４    ＩＣチップ
１３６    側壁
１３７    ホルダ
１４０    規制リブ
Ａ        中心軸線
【図１】
2014063080.tif 000003
【図２】
2014063080.tif 000004
【図３】
2014063080.tif 000005
【図４】
2014063080.tif 000006
【図５】
2014063080.tif 000007
【図６】
2014063080.tif 000008
【図７】
2014063080.tif 000009
【図８】
2014063080.tif 000010
【図９】
2014063080.tif 000011
【図１０】
2014063080.tif 000012
【図１１】
2014063080.tif 000013
【図１２】
2014063080.tif 000014
【図１３】
2014063080.tif 000015
【図１４】
2014063080.tif 000016